Podtech/llm-jp-corpus-v4-ja_patent huggingface dataset:
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ペットフードサプリメントにおいて、
ａ．  バシラス属、バクテロイデス属、ビフィドバクテリウム属、エンテロコッカス属、ラクトバシラス属、リューコノストック属、サッカロミケス属、カンジダ属、ストレプトコッカス属、およびそれらの組合せの細菌、酵母または微生物からなる群より選択されるプロバイオティックスである、熱に敏感な成分を含み、第１の融点を有する第１の層を前記ペットフードサプリメントの４５質量％から７０質量％、および
ｂ．  前記第１の融点よりも高い第２の融点を有し、０．００１質量％未満しかプロバイオティクスを含まない第２の層を前記ペットフードサプリメントの３０質量％から５５質量％、
含み、
前記第１の層および前記第２の層は組成が異なり、
前記第１の層および前記第２の層は互いに隣接しているペットフードサプリメント。
【請求項２】
前記第１の層が脂肪および甘味料を含む、請求項１記載のペットフードサプリメント。
【請求項３】
前記脂肪がココアバター成分である、請求項２記載のペットフードサプリメント。
【請求項４】
前記第２の層が脂肪をさらに含む、請求項１記載のペットフードサプリメント。
【請求項５】
前記脂肪が半硬化植物油である、請求項４記載のペットフードサプリメント。
【請求項６】
前記第２の層が甘味料をさらに含む、請求項４記載のペットフードサプリメント。
【請求項７】
前記第２の融点が、前記第１の融点より少なくとも１．６６℃（３°Ｆ）高い、請求項１記載のペットフードサプリメント。
【請求項８】
前記第１の融点が少なくとも２９．４℃（８５°Ｆ）であり、前記第２の融点が少なくとも少なくとも４３．３℃（１１０°Ｆ）である、請求項１記載のペットフードサプリメント。
【請求項９】
前記第１の層が、０．１から０．４の水分活性を有する、請求項１記載のペットフードサプリメント。
【請求項１０】
前記第２の層が前記第１の層の表面の１０％から５０％を覆う、請求項１記載のペットフードサプリメント。
【請求項１１】
前記第１の層がグラム当たり１０5超のコロニー形成単位（ＣＦＵ／ｇ）を有する、請求項１記載のペットフードサプリメント。
【請求項１２】
第２の敏感な成分をさらに含む、請求項１記載のペットフードサプリメント。
【請求項１３】
ブリスター・パッケージ内に被包されている、請求項１記載のペットフードサプリメント。
【請求項１４】
前記第２の融点が、前記第１の融点より少なくとも４．４４℃（８°Ｆ）高い、請求項１記載のペットフードサプリメント。
【請求項１５】
ペットフードサプリメントにおいて、
ａ．  バシラス属、バクテロイデス属、ビフィドバクテリウム属、エンテロコッカス属、ラクトバシラス属、リューコノストック属、サッカロミケス属、カンジダ属、ストレプトコッカス属、およびそれらの組合せの細菌、酵母または微生物からなる群より選択される、生存する熱に敏感なプロバイオティック成分を含み、第１の融点および第１の水分活性を有する第１の層を前記ペットフードサプリメントの４５質量％から７０質量％、および
ｂ．  前記第１の融点よりも高い第２の融点および前記第１の水分活性よりも低い第２の水分活性を有し、０．００１質量％未満しかプロバイオティクスを含まない第２の層を前記ペットフードサプリメントの３０質量％から５５質量％、
含み、
前記第１の層および前記第２の層の組成が異なり、
前記第１の層および前記第２の層は互いに隣接しているペットフードサプリメント。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
細胞収集システムであって、
（ａ）少なくとも一部分が細胞を保持するように構成された、露出した第１の表面を含む流体透過性平面膜、ここで、前記一部分が：
（ｉ）前記膜の一部分が流体は通過させるが細胞は保持できるように約１μｍ未満の平均直径を有する複数の孔を画定し；
（ｉｉ）約３５０ｎｍ〜約１０００ｎｍの範囲の波長を有する光に曝露されたときに実質的に非自家蛍光性であり；かつ
（ｉｉｉ）最大約１００μｍの平面度公差を有する；
（ｂ）前記膜の第２の反対の表面の少なくとも一部に隣接した流体透過性支持部材；および
（ｃ）前記膜に関連した任意の基準部（ｒｅｇｉｓｔｅｒ）
を含む、システム。
【請求項２】
前記膜がディスクを含む、請求項１に記載のシステム。
【請求項３】
前記ディスクが、１μｍ〜３，０００μｍ；１０μｍ〜２，０００μｍ；および１００μｍ〜１，０００μｍからなる群から選択される範囲の厚さを有する、請求項２に記載のシステム。
【請求項４】
前記支持部材が、０．１ｍｍ〜１０ｍｍ；０．５ｍｍ〜５ｍｍ；および１ｍｍ〜３ｍｍからなる群から選択される範囲の厚さを有する、請求項１〜３のいずれか１項に記載のシステム。
【請求項５】
前記膜の前記第１の表面の少なくとも別の部分に隣接したマスクをさらに含む、請求項１〜４のいずれか１項に記載のシステム。
【請求項６】
前記マスクが円形である、請求項５に記載のシステム。
【請求項７】
複数の検出可能な粒子をさらに含む、請求項１〜６のいずれか１項に記載のシステム。
【請求項８】
前記粒子が蛍光粒子である、請求項７に記載のシステム。
【請求項９】
前記粒子が、少なくとも約３５０ｎｍ〜約１０００ｎｍの範囲の波長を有する光によって励起されるように構成されている、請求項８に記載システム。
【請求項１０】
前記粒子が、約３５０ｎｍ〜約６００ｎｍおよび約６００ｎｍ〜約７５０ｎｍの少なくとも１つの範囲の波長を有する光によって励起されるように構成されている、請求項９に記載システム。
【請求項１１】
前記粒子が、前記マスクに形成されたウェル内に配設される、請求項８〜１０のいずれか１項に記載のシステム。
【請求項１２】
１０−６、１０−７、１０−８、または１０−９未満の滅菌保障レベルを有する、請求項１〜１１のいずれか１項に記載のシステム。
【請求項１３】
請求項１〜１１のいずれか１項に記載の細胞収集システムを構成するベースに嵌合するように構成された環状シールおよび開口円筒部分を含む細胞収集カップ。
【請求項１４】
１０−６、１０−７、１０−８、または１０−９未満の滅菌保障レベルを有する、請求項１３に記載の細胞収集カップ。
【請求項１５】
液体サンプル中の細胞の存在および量の少なくとも一方を決定する方法であって：
（ａ）前記サンプル中に存在する細胞を、請求項１〜１４のいずれか１項に記載の細胞収集システムに収集するステップ；および
（ｂ）ステップ（ａ）で収集された細胞の存在または量を決定するステップ
を含む、方法。
【請求項１６】
収集された細胞を検出可能な部分で標識するステップをさらに含む、請求項１５に記載の方法。
【請求項１７】
前記検出可能な部分が蛍光標識である、請求項１６に記載の方法。
【請求項１８】
前記決定するステップが光検出器を利用する、請求項１５〜１７のいずれか１項に記載の方法。
【請求項１９】
前記光検出器が蛍光検出器を含む、請求項１８に記載の方法。
【請求項２０】
液体サンプル中の生存細胞の存在の検出および液体サンプル中の細胞の生存率の測定の少なくとも一方の方法であって：
（ａ）前記サンプル中に存在する細胞を、請求項１〜１４のいずれか１項に記載の細胞収集システムに収集するステップ；
（ｂ）収集した生存細胞を選択的に標識するステップ；および
（ｃ）ステップ（ｂ）で標識された細胞の存在を検出するステップおよびステップ（ｂ）で標識された細胞の生存率を測定するステップの少なくとも一方のステップ
を含む、方法。
【請求項２１】
前記細胞が、生死判別染色剤および生死判別染色システムの少なくとも一方を用いて標識される、請求項２０に記載の方法。
【請求項２２】
前記生死判別染色剤および前記生死判別染色システムの少なくとも一方が蛍光部分を含む、請求項２１に記載の方法。
【請求項２３】
前記標識された生存細胞が、光検出器で検出される、請求項２０〜２２のいずれか１項に記載の方法。
【請求項２４】
前記光検出器が蛍光検出器を含む、請求項２３に記載の方法。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
操作可能なようにプロモータと組み合わせられた、イソプレン合成酵素活性を有するマメ科植物由来のポリペプチドをコードする異種ポリヌクレオチド配列を含む宿主細胞であって、前記ポリペプチドは、配列番号３又は配列番号９に対して少なくとも８５％の配列同一性を有し、前記単離ポリペプチドは、プエラリア・モンタナ（P. montana）のものではない、宿主細胞。
【請求項２】
前記ポリヌクレオチド配列がプラスミド内に含有され、又は前記ポリヌクレオチド配列が前記宿主細胞の染色体に組み込まれる、請求項１に記載の宿主細胞。
【請求項３】
前記宿主細胞が、グラム陽性菌細胞、グラム陰性菌細胞、糸状菌細胞、及び酵母細胞からなる群から選択される、請求項１又は２に記載の宿主細胞。
【請求項４】
前記宿主細胞が、エシェリキア種（Escherichia sp.）（大腸菌（E. coli））、パントエア種（Pantoea sp.）（パントエア・シトレア（P. citrea））、バチルス種（Bacillus sp.）（バチルス・スブチリス（B. subtilis））、ヤロウイア種（Yarrowia sp.）（ヤロワイア・リポリィティカ（Y. lipolytica））、トリコデルマ（trichoderma）（トリコデルマ・リーゼイ（T. reesei））及びサッカロミセス（Saccharomyces）（サッカロミセス・セレヴィシエ（S. cerevisiae））からなる群から選択される、請求項１〜３のいずれか１項に記載の宿主細胞。
【請求項５】
前記宿主細胞が、グルコース、グリセロール、グリセリン、ジヒドロキシアセトン、酵母エキス、バイオマス、糖蜜、スクロース、及び油からなる群から選択される炭素源を含有する培地で培養される、請求項１〜４のいずれか１項に記載の宿主細胞。
【請求項６】
前記宿主細胞が、１種以上のメバロン酸（ＭＶＡ）経路ポリペプチドをコードする１つ以上の異種又は天然の核酸を更に含む、請求項１に記載の宿主細胞。
【請求項７】
（ｉ）前記宿主細胞が、サッカロミセス・セレヴィシエ（Saccharomyces cerevisiae）及びエンテロコッカス・フェカリス（Enterococcus faecalis）由来のＭＶＡ経路のポリペプチドからなる群から選択されるメバロン酸（ＭＶＡ）経路ポリペプチドをコードする異種核酸を更に含む、又は
（ｉｉ）前記宿主細胞が、イソペンテニル二リン酸イソメラーゼ（ＩＤＩ）ポリペプチドをコードする異種又は天然の核酸を更に含む、
請求項６に記載の宿主細胞。
【請求項８】
前記宿主細胞が、所望により天然のＤＸＰ経路と組み合わせて、ＩＤＩポリペプチドをコードする異種又は天然の核酸並びに／あるいは１−デオキシ−Ｄ−キシルロース５−リン酸合成酵素（ＤＸＳ）ポリペプチドをコードする異種又は天然の核酸を更に含む、請求項１に記載の宿主細胞。
【請求項９】
（ｉ）前記宿主細胞が、ＩＤＩポリペプチド及び前記ＤＸＳポリペプチドをコードする１つ以上の核酸を更に含む、又は
（ｉｉ）前記宿主細胞が、前記イソプレン合成酵素、前記ＩＤＩポリペプチド、及び前記ＤＸＳポリペプチドをコードする１種のベクターを含む、
請求項８に記載の宿主細胞。
【請求項１０】
前記宿主細胞が、ＭＶＡ経路のポリペプチド及び／又はＤＸＳポリペプチドをコードする１つ以上の核酸を更に含む、請求項１に記載の宿主細胞。
【請求項１１】
前記宿主細胞が、ＤＸＳポリペプチド、ＩＤＩポリペプチド、前記ＤＸＰ経路に関係するその他の１種以上のポリペプチド、又はＭＶＡ経路のポリペプチド、をコードする１つ以上の核酸を更に含む、請求項１０に記載の宿主細胞。
【請求項１２】
ＤＸＳを更に含む、請求項７の（ｉｉ）に記載の宿主細胞。
【請求項１３】
（ａ）イソプレン生産に好適な培養条件下で、請求項１〜１２のいずれか一項に記載の宿主細胞を培養する工程、並びに
（ｂ）前記イソプレンを生産させる工程、
を含む、イソプレン生産方法であって、前記方法が所望により
（ｃ）前記イソプレンを回収する工程、及び／又は
（ｄ）イソプレンを重合する工程
を更に含む、イソプレン生産方法。
【請求項１４】
前記ポリペプチドが、配列番号３又は配列番号９に対して少なくとも９０％の配列同一性を有する、請求項１に記載の宿主細胞。
【請求項１５】
前記ポリペプチドが、配列番号３又は配列番号９の配列を含む、請求項１又は１４に記載の宿主細胞。
【手続補正書】
【提出日】平成28年9月20日(2016.9.20)
【手続補正１】
【補正対象書類名】手続補正書
【補正対象項目名】手続補正１７
【補正方法】追加
【補正の内容】
【手続補正１７】
【補正対象書類名】明細書
【補正対象項目名】０００９
【補正方法】変更
【補正の内容】
【０００９】
【図１】図１は、キャップの斜視図である。
【図２】図２は、キャップの側断面図である。
【図３】図３は、キャップ内に位置するように構成されるピルの斜視図である。
【図４】図４は、ピルの一実施例の側断面図である。
【図５】図５は、雄型医療器具の挿入前のキャップ内のピルを示す図である。
【図６】図６は、雄型医療器具の挿入開始を示す図である。
【図７】図７は、雄型医療器具のさらなる挿入を示す図である。
【図８】図８は、キャップとピルの一部の斜視図であり、キャップへの開口での通口（ベント）を示す図である。
【図９】図９は、雄型医療器具が挿入されたキャップとピルの透視図である。
【図１０】図１０は、装置の斜視図または等角図である。
【図１１】図１１は、雄型医療器具が挿入された装置の端面図である。
【図１２Ａ】図１２Ａ〜１２Ｃは、雄型医療器具を洗浄する一連の段階（シーケンス）を示す図である。
【図１２Ｂ】図１２Ａ〜１２Ｃは、雄型医療器具を洗浄する一連の段階（シーケンス）を示す図である。
【図１２Ｃ】図１２Ａ〜１２Ｃは、雄型医療器具を洗浄する一連の段階（シーケンス）を示す図である。
【図１３】図１３Ａは、キャップとピストンの斜視図であり、図１３Ｂは、キャップとピストンの断面図である。
【図１４】図１４Ａ〜１４Ｂは、雄型突起を受け入れる雄型医療器具キャップと雄型医療器具のスリーブの断面図である。
【図１５】図１５は、医療器具の雄型突起に完全に係合したキャップを示す図である。
【図１６】図１６Ａ〜１６Ｃは、ピストンの雄型突起インタフェース面の各種実施例を示す図である。
【図１７】図１７は、細片材料に接続された５個のキャップを有する洗浄システムを示す図である。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
光線療法装置部材であって、
光を送るためにコアを持つ柔軟な光ファイバー先端部材であって、前記柔軟な先端部材が近位端および遠位端を含み、前記近位端の直径が前記遠位端の直径よりも大きく、前記近位端を通って前記柔軟な先端部材に入る光を収束させるように、前記近位端が湾曲している柔軟な光ファイバー先端部材と、
前記柔軟な先端部材を光源に機械的に結合するための弾性のある管状コネクタスリーブであって、前記スリーブが開口部を持つ近位端および開口部を持つ遠位端を含み、前記近位端が伸張して光源に機械的に結合されるように構成されている柔軟なコネクタスリーブとを備え、
使用中、前記柔軟な光ファイバー先端部材の前記遠位端が前記スリーブの前記遠位端の前記開口部を通って遠位に延長するように、前記柔軟な光ファイバー先端が前記スリーブ内に部分的に配置され、前記柔軟な光ファイバー先端部材の前記近位端が、前記スリーブ内の前記スリーブの前記近位端と前記遠位端の間に配置され、それによって前記柔軟な光ファイバー先端部材を前記光源の近くに位置付ける光線療法装置部材。
【請求項２】
前記柔軟な光ファイバー先端部材が単一体として形成される、請求項１に記載の光線療法装置部材。
【請求項３】
前記柔軟な光ファイバー部材が、前記コアを通って送られる光の一部が前記外面を通して外に拡散できるように構成された粗い外面を持つ、請求項２記載の光線療法装置部材。
【請求項４】
前記柔軟な光ファイバー先端が、前記近位端から遠前記位端まで前記コアの中心を通って延長する光軸を含み、前記先端部材を通過する光が、前記光軸の少なくとも一部に沿って移動する、請求項１〜３のいずれか１項に記載の光線療法装置部材。
【請求項５】
前記柔軟な光ファイバー先端部材のコアがガラスまたはポリマーである、請求項１〜４のいずれか１項に記載の光線療法装置部材。
【請求項６】
前記柔軟な光ファイバー先端部材の近位領域が、実質的に円錐形で前記近位端に沿って基部を持つ、請求項１〜５のいずれか１項に記載の光線療法装置部材。
【請求項７】
前記先端部材が実質的に円筒形である、請求項１〜６のいずれか１項に記載の光線療法装置部材。
【請求項８】
前記弾性のある管状コネクタスリーブの内面が内側に向けて放射状に延長し、前記光源をつかむように構成された複数のリブを含む、請求項１〜７のいずれか１項に記載の光線療法装置部材。
【請求項９】
前記柔軟な光ファイバー先端部材の前記近位端から前記遠位端までの長さが約１０ｍｍ〜約３０ｍｍの間であり、及び／又は、前記柔軟な光ファイバー先端部材の前記遠位端の直径が約５００ミクロン〜約１５００ミクロンの間である、請求項１〜８のいずれか１項に記載の光線療法装置部材。
【請求項１０】
前記直径が前記柔軟な光ファイバー先端部材の前記長さに沿って変化する、請求項９に記載の光線療法装置部材。
【請求項１１】
前記柔軟な光ファイバー先端部材の前記近位端が、前記柔軟な光ファイバー先端部材の前記近位部分に対して凸形状である、請求項１〜１０のいずれか１項に記載の光線療法装置部材。
【請求項１２】
前記光源をさらに備え、前記光源が１つ以上の発光ダイオードを含むか、及び／又は、ハロゲンランプを含む請求項１〜１１のいずれか１項に記載の光線療法装置部材。
【請求項１３】
前記柔軟な光ファイバー先端部材が前記遠位端に複数の剛毛を備える、請求項１〜１２のいずれか１項に記載の光線療法装置部材。
【請求項１４】
前記柔軟な光ファイバー先端部材が光活性剤を含む、請求項１〜１３のいずれか１項に記載の光線療法装置部材。
【請求項１５】
光を送るための光ファイバー先端部材であって、該光ファイバー先端部材は柔軟であり、かつ、近位端および遠位端を含むコアを持ち、前記近位端の直径が前記遠位端の直径よりも大きく、前記近位端を通って前記柔軟な先端部材に入る光を収束させるように前記近位端が湾曲している、光ファイバー先端部材。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
医療デバイスであって、
泌尿器科デバイスと、
前記泌尿器科デバイスに取り付けられる少なくとも１つの回収用ストリングであって、前記泌尿器科デバイスに接続される近位端と、反対側の遠位端とを有する回収用ストリングと、を含み、
前記回収用ストリングは、初期の閉込形状に構成され、前記医療デバイスが患者の膀胱内に選択された期間留置された後、前記少なくとも１つの回収用ストリングの前記遠位端が前記膀胱の尿道内に延出可能な非閉込形状に変化し、それによって前記デバイスは、前記回収用ストリングの前記遠位端の制御下での尿道からの現出を提供し、前記回収用ストリングを引くことで前記医療デバイスを膀胱から引き出すことを可能にする、医療デバイス。
【請求項２】
少なくとも１つの生体内分解性コンポーネントをさらに含み、前記生体内分解性コンポーネントは（ｉ）前記少なくとも１つの回収用ストリングを前記初期の閉込形状に維持し、（ｉｉ）前記少なくとも１つの回収用ストリングが前記生体内分解性コンポーネントのインビボの分解後に前記非閉込形状をとるのを許容するように機能する、請求項１に記載の医療デバイス。
【請求項３】
前記泌尿器科デバイスに前記少なくとも１つの生体内分解性コンポーネントを介して取り付けられる流体力学的キャップをさらに含む、請求項２に記載の医療デバイス。
【請求項４】
前記少なくとも１つの生体内分解性コンポーネントが、前記初期の閉込形状の前記回収用ストリングの少なくとも一部分を含む、請求項２に記載の医療デバイス。
【請求項５】
前記少なくとも１つの生体内分解性コンポーネントが、前記泌尿器科デバイスの周りに巻かれて前記回収用ストリングを前記泌尿器科デバイスの外表面上に固着させる複数のバンドを含む、請求項２に記載の医療デバイス。
【請求項６】
前記少なくとも１つの回収用ストリングがモノフィラメントである、請求項５に記載の医療デバイス。
【請求項７】
前記初期の閉込形状の前記少なくとも１つの回収用ストリングの少なくとも一部分がコイル状である、請求項１に記載の医療デバイス。
【請求項８】
前記コイル状の回収用ストリングが水溶性粘着性コーティングを含む、請求項７に記載の医療デバイス。
【請求項９】
前記少なくとも１つの回収用ストリングが絹または編みポリエステルで構成されている、請求項７に記載の医療デバイス。
【請求項１０】
前記少なくとも１つの回収用ストリングが、浮揚性であり、強磁性材料を含む、請求項１に記載の医療デバイス。
【請求項１１】
前記泌尿器科デバイスが膀胱内薬物送達デバイスを含む、請求項１〜１０のいずれか１項に記載の医療デバイス。
【請求項１２】
前記泌尿器科デバイスが尿管ステントを含む、請求項１〜１０のいずれか１項に記載の医療デバイス。
【請求項１３】
前記泌尿器科デバイスが、（ｉ）少なくとも１つの薬物収容ルーメンを有するデバイス本体と、（ｉｉ）前記少なくとも１つの薬物収容ルーメン内に配置された製剤と、を含み、前記泌尿器科デバイスは、前記泌尿器科デバイスを膀胱内で保持する保持形状と、前記泌尿器科デバイスを患者の尿道を通して留置するための低プロファイル形状との間で弾性変形可能である、請求項１〜１０のいずれか１項に記載の医療デバイス。
【請求項１４】
前記泌尿器科デバイスが、前記泌尿器科デバイスが前記保持形状にあるとき、前記非閉込形状の前記回収用ストリングの前記遠位端が膀胱の尿道から延出するのを許容することで、前記患者または医師が前記回収用ストリングの前記遠位端を引いて前記泌尿器科デバイスに前記低プロファイル形状をとらせることを可能にし、前記泌尿器科デバイスが前記患者の尿道を通って引き出されるのを許容するように構成されている、請求項１３に記載の医療デバイス。
【請求項１５】
医療デバイスであって、
泌尿器科デバイスと、
前記泌尿器科デバイスに取り付けられる回収用ストリングであって、前記泌尿器科デバイスに接続される近位端と、反対側の遠位端とを有する回収用ストリングと、を含み、
前記回収用ストリングは強磁性材料を含む、医療デバイス。
【請求項１６】
前記回収用ストリングが中空であり、前記強磁性材料が前記回収用ストリングのルーメンに含まれる、請求項１５に記載の医療デバイス。
【請求項１７】
前記回収用ストリングが中実であり、前記強磁性材料が前記回収用ストリングに埋め込まれている、請求項１５に記載の医療デバイス。
【請求項１８】
前記強磁性材料が前記回収用ストリングの外表面に配置されている、請求項１５に記載の医療デバイス。
【請求項１９】
前記回収用ストリングが尿中に浮揚する、請求項１５〜１８のいずれか１項に記載の医療デバイス。
【請求項２０】
前記泌尿器科デバイスが膀胱内薬物送達デバイスを含む、請求項１５〜１８のいずれか１項に記載の医療デバイス。
【請求項２１】
前記回収用ストリングが尿中に浮揚する、請求項２０に記載の医療デバイス。
【請求項２２】
前記泌尿器科デバイスが尿管ステントを含む、請求項１５〜１８のいずれか１項に記載の医療デバイス。
【請求項２３】
前記回収用ストリングが尿中に浮揚する、請求項２２に記載の医療デバイス。
【請求項２４】
前記泌尿器科デバイスが、（ｉ）少なくとも１つの薬物収容ルーメンを有するデバイス本体と、（ｉｉ）前記少なくとも１つの薬物収容ルーメン内に配置された製剤とを含み、前記デバイスは、前記泌尿器科デバイスを膀胱内で保定する保持形状と、前記泌尿器科デバイスを患者の尿道を通して留置するための低プロファイル形状との間で弾性変形が可能である、請求項１５〜１８のいずれか１項に記載の医療デバイス。
【請求項２５】
前記回収用ストリングが尿中に浮揚する、請求項２４に記載の医療デバイス。
【請求項２６】
医療デバイスであって、
泌尿器科デバイスと、
前記泌尿器科デバイスに取り付けられる回収用ストリングであって、前記泌尿器科デバイスに接続される近位端と、反対側の遠位端とを有する回収用ストリングと、を含み、
前記回収用ストリングは、前記遠位端に接続される流体力学的キャップを含む、医療デバイス。
【請求項２７】
前記回収用ストリングと前記流体力学的キャップとが尿中に浮揚しない、請求項２６に記載の医療デバイス。
【請求項２８】
前記泌尿器科デバイスが、製剤を収容する薬物収容ルーメンを含む膀胱内薬物送達デバイスであり、
前記医療デバイスが生体内分解性コンポーネントをさらに含み、前記生体内分解性コンポーネントは、（ｉ）前記回収用ストリングを前記初期の閉込形状に維持し、（ｉｉ）前記製剤がほぼまたは完全に放出された後、前記生体内分解性コンポーネントがインビボで分解すると、前記回収用ストリングが前記非閉込形状をとり前記患者の尿道から延出するのを許容するように機能する、請求項１に記載の医療デバイス。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
計算デバイスにより実行される方法であって、
前記計算デバイスが、メディア・プログラムの第１部分の提示中に、前記メディア・プログラムの前記第１部分に対するメディア反応を受けるステップであって、前記メディア反応が、前記メディア・プログラムの前記第１部分の間に受動的に検知されるセンサー・データーに基づいて決定される、ステップと、
前記計算デバイスが、前記メディア反応および前記メディア反応のコンテキストに基づいて、前記メディア・プログラムの前記第１部分の間のユーザーの状態を決定するステップと、
前記計算デバイスが、前記メディア・プログラムの前記第１部分の間の前記ユーザーの前記状態に基づいて、後来の広告を決定するステップであって、前記後来の広告が、前記メディア・プログラムの後の部分の間でかつ前記メディア・プログラムの同じ提示の間に現れる、ステップと、
前記計算デバイスが、前記後来の広告を、前記メディア・プログラムの前記後の部分の間でかつ前記メディア・プログラムの前記同じ提示中に提示させるステップと、
を含む、方法。
【請求項２】
請求項１記載の方法において、前記メディア・プログラムは、予定された広告を含み、後来の広告を提示させることは、前記予定された広告を前記後来の広告と置き換えるように作用する、方法。
【請求項３】
請求項１記載の方法において、メディア反応を受けることは、前記メディア・プログラムが提示されるメディア提示デバイスからであり、前記後来の広告を提示させることは、前記計算デバイスが通信ネットワークを介して実行される、方法。
【請求項４】
請求項１記載の方法において、前記後来の広告を決定するステップは、更に、反応履歴またはその一部、人口統計学的情報、または前記メディア・プログラムについての情報に基づく、方法。
【請求項５】
請求項１記載の方法であって、更に、他のメディア反応を受けるステップを含み、前記他のメディア反応は、前記メディア・プログラムの前記第１部分の間に検知され、前記最初に述べたメディア反応に関連するユーザーとは異なるユーザーに関連する他のセンサー・データーに基づいて決定され、前記異なるユーザーが前記ユーザーに対して物理的にローカルであり、前記後来の広告を決定するステップは、更に、前記他のメディア反応に基づく、方法。
【請求項６】
請求項１記載の方法において、前記メディア反応は、前記メディア・プログラムが提示されるメディア提示デバイスに対しローカルなエンティティから受けられ、前記後来の広告を決定するステップは、前記メディア提示デバイスに対し予めローカルに格納された複数の広告の組から前記後来の広告を決定し、前記複数の広告の組は、前記後来の広告を提示する前記メディア・プログラム内の時間範囲と関連付けられた、方法。
【請求項７】
請求項１記載の方法において、前記メディア・プログラムの前記第１部分は広告であり、前記後来の広告を決定するステップは、前記後来の広告の決定を、該後来の広告が、選択可能な広告の組のうちの１つ以上の他の予め準備された広告よりもより成功の可能性が高いと決定されたことに基づいて行う、方法。
【請求項８】
装置であって、
１つ以上のコンピューター・プロセッサーと、
命令を格納した１つ以上のコンピューター読み取り可能記憶媒体と、
を含み、前記命令が、前記１つ以上のコンピューター・プロセッサーによる実行に応答して、
メディア・プログラムの第１部分の提示中に、前記メディア・プログラムの前記第１部分に対するメディア反応を受ける動作であって、前記メディア反応が、前記メディア・プログラムの前記第１部分の間に受動的に検知されるセンサー・データーに基づいて決定される、動作と、
前記メディア反応および前記メディア反応のコンテキストに基づいて、前記メディア・プログラムの前記第１部分の間のユーザーの状態を決定する動作と、
前記メディア・プログラムの前記第１部分の間の前記ユーザーの前記状態に基づいて、後来の広告を決定する動作であって、前記後来の広告が、前記メディア・プログラムの後の部分の間でかつ前記メディア・プログラムの同じ提示の間に現れる、動作と、
前記後来の広告を、前記メディア・プログラムの前記後の部分の間でかつ前記メディア・プログラムの前記同じ提示中に提示させる動作と、
を含む動作を実行させる、装置。
【請求項９】
請求項８記載の装置において、前記メディア・プログラムは、予定された広告を含み、後来の広告を提示させることは、前記予定された広告を前記後来の広告と置き換えるように作用する、装置。
【請求項１０】
請求項８記載の装置において、メディア反応を受けることは、前記メディア・プログラムが提示されるメディア提示デバイスから受け、前記メディア・プログラムの前記後来の広告を提示させることは、前記メディア提示デバイスからリモートの前記装置により実行される、装置。
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
呼中の音声メモを生成するための方法であって、
ターゲットワイヤレス加入者デバイスとの呼を行うステップであって、前記呼はデータパケットのデータストリームを含むステップと、
前記ターゲットワイヤレス加入者デバイスに、前記呼の一部分の記録を開始するための指示を送信するステップと、
前記ターゲットワイヤレス加入者デバイスに、前記呼の前記一部分の記録を停止するための指示を送信するステップであって、前記呼の一部分の記録を開始するための前記指示は、前記ターゲットワイヤレス加入者デバイスにおいて記録されるべき前記データストリームの各データパケットへの記録マーカーの挿入を含み、前記呼の前記一部分の記録を停止するための前記指示は、前記呼の前記データパケットへの前記記録マーカーの挿入をやめることを含むステップと
を備える方法。
【請求項２】
前記呼の前記一部分が記録されるべきであると判断するステップ
をさらに備える、請求項１に記載の方法。
【請求項３】
前記判断するステップが、
前記呼のためのデータストリームによって送信されている加入者の音声のイントネーションが変化したか否かを判断するステップと、
前記イントネーションの変化が、発せられている言葉またはこれから発せられる言葉を記録するべきであることを指示するか否かを判断するステップと
を備える、請求項２に記載の方法。
【請求項４】
前記判断するステップが、
前記呼を送信するデータストリームの複数のデータパケットをバッファリングするステップと、
バッファリングされた前記複数のデータパケット中の構成物または該構成物の開始点を検出するステップと
を備える、請求項２に記載の方法。
【請求項５】
前記検出するステップが、
前記データストリームのバッファリングされた前記データパケットを、テキストに変換するステップを備え、
前記検出するステップが、前記テキスト中の前記構成物または前記構成物の前記開始点を検出するステップである、請求項４に記載の方法。
【請求項６】
前記構成物が、名前、電話番号、住所、関心地点、ＵＲＬ、項目のリスト、または道案内のうちの少なくとも１つを含む、請求項５に記載の方法。
【請求項７】
サーバが、前記呼の前記一部分の記録を開始および停止するための、前記ターゲットワイヤレス加入者デバイスに送信された前記指示に基づいて、前記呼の前記一部分を記録する、請求項１に記載の方法。
【請求項８】
呼中の音声メモを生成するための方法であって、
発信元ワイヤレス加入者デバイスとの呼を行うステップであって、前記呼はデータパケットのデータストリームを含むステップと、
前記発信元ワイヤレス加入者デバイスから、前記呼の一部分の記録を開始するための指示を受信するステップと、
前記発信元ワイヤレス加入者デバイスから、前記呼の前記一部分の記録を停止するための指示を受信するステップであって、前記呼の一部分の記録を開始するための前記指示は、前記発信元ワイヤレス加入者デバイスによって、ターゲットワイヤレス加入者デバイスにおいて記録されるべき前記データストリームの各データパケットに挿入された記録マーカーを含み、前記呼の前記一部分の記録を停止するための前記指示は、前記呼の前記データパケットへの前記記録マーカーの挿入の中止を含むステップと
を備える方法。
【請求項９】
前記呼の記録された前記一部分を処理して、前記呼の記録された前記一部分が少なくとも１つの構成物を含んでいるか否かを判断するステップと、
前記少なくとも１つの構成物を処理するステップと
をさらに備える、請求項８に記載の方法。
【請求項１０】
サーバが記録されるべき情報のソースである前記発信元ワイヤレス加入者デバイスとターゲットワイヤレス加入者デバイスとの間で前記呼を仲介することによって実行される、請求項８に記載の方法。
【請求項１１】
ターゲットワイヤレス加入者デバイスが前記発信元ワイヤレス加入者デバイスと通信を行うことによって実行される、請求項８に記載の方法。
【請求項１２】
呼中の音声メモを生成するための装置であって、
ターゲットワイヤレス加入者デバイスとの呼を行うように構成された論理手段であって、前記呼はデータパケットのデータストリームを含む論理手段と、
前記ターゲットワイヤレス加入者デバイスに、前記呼の一部分の記録を開始するための指示を送信するように構成された論理手段と、
前記ターゲットワイヤレス加入者デバイスに、前記呼の前記一部分の記録を停止するための指示を送信するように構成された論理手段であって、前記呼の一部分の記録を開始するための前記指示は、前記ターゲットワイヤレス加入者デバイスにおいて記録されるべき前記データストリームの各データパケットへの記録マーカーの挿入を含み、前記呼の前記一部分の記録を停止するための前記指示は、前記呼の前記データパケットへの前記記録マーカーの挿入をやめることを含む、論理手段と
を備える装置。
【請求項１３】
呼中の音声メモを生成するための装置であって、
発信元ワイヤレス加入者デバイスとの呼を行うように構成された論理手段と、
前記発信元ワイヤレス加入者デバイスから、前記呼の一部分の記録を開始するための指示を受信するように構成された論理手段であって、前記呼はデータパケットのデータストリームを含む論理手段と、
前記発信元ワイヤレス加入者デバイスから、前記呼の前記一部分の記録を停止するための指示を受信するように構成された論理手段であって、前記呼の一部分の記録を開始するための前記指示は、前記発信元ワイヤレス加入者デバイスによって、ターゲットワイヤレス加入者デバイスにおいて記録されるべき前記データストリームの各データパケットに挿入された記録マーカーを含み、前記呼の前記一部分の記録を停止するための前記指示は、前記呼の前記データパケットへの前記記録マーカーの挿入の中止を含む、論理手段と
を備える装置。
【請求項１４】
請求項１ないし１１のいずれか１項に記載の方法を通信エンティティに実行させるための少なくとも１つの命令を格納したコンピュータ読み取り可能な記録媒体。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
生物学的試料におけるＢＡＧ３  ＲＮＡまたはそのフラグメントのレベルを検出および／または定量化によって特徴付けられたインビボまたはエキソビボの病理学的状態を診断する方法であって、
前記病理学的状態は、心臓疾患、糖尿病、炎症および炎症性関連疾患であって、皮膚、神経、骨、血管、および結合組織の炎症および炎症性関連疾患、ならびに、癌疾患であって、膵癌、膀胱癌、および前立腺癌から選択される癌疾患から選択されることを特徴とする方法。
【請求項２】
ａ．血清、血漿、尿、唾液または組織からなる生物学的試料を得るステップと、
ｂ．前記生物学的試料から全ＲＮＡを抽出するステップと、
ｃ．定量的リアルタイムＲＴ−ＰＣＲによりＢＡＧ３  ＲＮＡまたはそのフラグメントを定量化するステップと、
を含むことを特徴とする請求項１に記載の方法。
【請求項３】
ｄ．生物学的試料から得た値を、基準値または健康な提供者から得た値と比較するステップ
をさらに含むことを特徴とする請求項２に記載の方法。
【請求項４】
前記生物学的試料は、哺乳類、好ましくはヒト由来であることを特徴とする請求項１から３のいずれか一項に記載の方法。
【請求項５】
前記心臓疾患は、狭心症、梗塞前狭心症、心筋梗塞、心不全、虚血、急性冠疾患、急性心不全、慢性心不全、および医原性心疾患から選択されることを特徴とする請求項１に記載の方法。
【請求項６】
前記ＢＡＧ３ＲＮＡはＢＡＧ３  ｍＲＮＡであることを特徴とする請求項１に記載の方法。
【請求項７】
生物学的試料におけるＢＡＧ３遺伝子発現の検出および／または定量化のためのキットであって、ｂａｇ３ヌクレオチド配列（配列番号１８）に包含されている１対の一本鎖オリゴヌクレオチドプライマーを含むことを特徴とするキット。
【請求項８】
ｂａｇ３ヌクレオチド配列のヌクレオチド１からヌクレオチド３６０まで、ヌクレオチド４６６からヌクレオチド１５７０まで、またはヌクレオチド１８０１からヌクレオチド２５３３までの領域の１つに含まれるヌクレオチド配列を有するものから選択される１対のプライマーを含むことを特徴とする請求項７に記載のキット。
【請求項９】
以下の配列：配列番号１および配列番号２、配列番号３および配列番号４、配列番号５および配列番号６、配列番号７および配列番号８、ならびに配列番号９および配列番号１０を有するものから選択される１対のプライマーを含むことを特徴とする請求項７または８のいずれか一項に記載のキット。
【請求項１０】
前記プライマーは、６０℃および７５℃の間、好ましくは７２℃のアニーリング温度を有することを特徴とする請求項７から９のいずれか一項に記載のキット。
【請求項１１】
前記セットのプライマーは、定量的リアルタイムＲＴ−ＰＣＲによるＢＡＧ３  ＲＮＡまたはそのフラグメントの検出および／または定量化に適していることを特徴とする請求項７から１０のいずれか一項に記載のキット。
【請求項１２】
前記生物学的試料は、血清、血漿、尿、唾液、または組織試料であることを特徴とする請求項７に記載のキット。
【請求項１３】
前記血清、血漿、尿、唾液、または組織試料は、哺乳類、好ましくはヒト由来であることを特徴とする請求項１２に記載のキット。
【請求項１４】
病理学的状態のインビトロ又はエキソビボの診断のための請求項７から１３のいずれか一項に記載のキットであって、
前記病理学的状態は、心臓疾患、糖尿病、炎症および炎症性関連疾患であって、皮膚、神経、骨、血管、および結合組織の炎症および炎症性関連疾患、ならびに、癌疾患であって、膵癌、膀胱癌、および前立腺癌から選択される癌疾患から選択されることを特徴とするキット。
【請求項１５】
前記心臓疾患は、狭心症、梗塞前狭心症、心筋梗塞、心不全、虚血、急性冠疾患、急性心不全、慢性心不全、および医原性心疾患から選択されることを特徴とする請求項１４に記載のキット。
【手続補正２】
【補正対象書類名】明細書
【補正対象項目名】配列表
【補正方法】変更
【補正の内容】
【配列表】
2015521475000001.app
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
頭頸部癌患者の予後を判定する方法であって、
（ａ）患者から入手した患者サンプルにおける核ｐ１６発現レベルを計測するステップと、
（ｂ）前記患者サンプルの前記核ｐ１６発現レベルを対照サンプルの発現レベルと比較するステップとを含み、
前記核ｐ１６発現レベルが、前記頭頸部癌患者の前記予後の指標となる、
方法。
【請求項２】
前記核ｐ１６発現レベルが低下し、前記低下が突然変異又はコピー数減少に起因する、
請求項１に記載の方法。
【請求項３】
ＲＢ１及びｐ５３レベルを計測するステップを更に含み、ＲＢ１又はｐ５３レベルの低下が核ｐ１６発現レベルの低下との組み合わせで予後不良を示し、
又は、
ＣＣＮＤ１レベルを計測するステップを更に含み、ＣＣＮＤ１レベルの増加が予後不良の指標となる、
請求項１又は２に記載の方法。
【請求項４】
異型サブタイプに関連する遺伝子の発現レベルを計測するステップを更に含み、前記異型サブタイプの発現が予後不良の指標となる、
請求項１に記載の方法。
【請求項５】
細胞質ｐ１６発現レベルを計測するステップを更に含み、前記核ｐ１６発現レベルが低下し、且つ前記細胞質ｐ１６レベルが上昇している場合、特に予後不良であることの指標となる、
請求項１から４のいずれか一項に記載の方法。
【請求項６】
前記核ｐ１６発現レベルがｍＲＮＡアッセイ又はタンパク質アッセイによって計測される、
請求項１から５のいずれか一項に記載の方法。
【請求項７】
前記核ｐ１６発現レベルが抗体を使用してタンパク質アッセイによって計測される、
請求項６に記載の方法。
【請求項８】
前記患者サンプルが生検サンプル又はリンパ節
請求項１から７のいずれか一項に記載の方法。
【請求項９】
前記頭頸部癌が、扁平上皮癌（ＳＣＣ）、下咽頭癌、声門喉頭癌、喉頭癌、口唇癌、鼻咽頭癌、口腔癌、唾液腺癌、副鼻腔癌、又は声門上喉頭癌である、
請求項１から８のいずれか一項に記載の方法。
【請求項１０】
頭頸部癌患者の予後を判定する方法であって、
（ａ）患者から入手した患者サンプルにおけるＣＣＮＤ１レベルを計測するステップと、
（ｂ）前記患者サンプルの前記ＣＣＮＤ１レベルを対照サンプルのＣＣＮＤ１レベルと比較するステップとを含み、
前記ＣＣＮＤ１レベルが、前記頭頸部癌患者の前記予後の指標となる、
方法。
【請求項１１】
固形腫瘍患者の予後を判定する方法であって、
（ａ）患者から入手した患者サンプルにおけるｐ１６及びＲＢ１遺伝子型、ＣＣＮＤ１コピー数、並びにｐ１６核タンパク質発現レベルを計測するステップと、
（ｂ）前記患者サンプルの前記ｐ１６及びＲＢ１遺伝子型、前記ＣＣＮＤ１コピー数、並びに前記ｐ１６核タンパク質発現レベルを、対照サンプルに関連するｐ１６及びＲＢ１遺伝子型、ＣＣＮＤ１コピー数、並びにｐ１６核タンパク質発現レベルと比較するステップとを含み、
前記ｐ１６及びＲＢ１遺伝子型、前記ＣＣＮＤ１コピー数、並びに前記ｐ１６核タンパク質発現レベルが、前記固形腫瘍患者の前記予後の指標となる、
方法。
【請求項１２】
異型サブタイプに関連する遺伝子の発現を計測するステップを更に含む、
請求項１０又は１１に記載の方法。
【請求項１３】
前記固形腫瘍が、上皮起源の固形腫瘍、扁平上皮癌又は黒色腫である、
請求項１１又は１２に記載の方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
三次元［３Ｄ］映像信号を処理するための３Ｄ映像装置であって、前記３Ｄ映像信号は３Ｄディスプレイ上に表示される３Ｄ画像データを含み、前記３Ｄディスプレイは、視聴者向けに３Ｄ効果を作り出すために複数のビューを必要とする、３Ｄ映像装置であり、
−  前記３Ｄ映像信号を受信するための受信機と、
−  前記複数のビューを前記３Ｄディスプレイにターゲティングするためのパラメータによって適合される前記３Ｄ画像データに基づいて少なくとも１つの処理済みビューを決定し、
前記処理済みビュー及び更なるビューの画像値の組合せに基づく、知覚される３Ｄ画像品質を示す品質メトリクを計算し、
前記パラメータの複数の値について前記決定及び計算を行うことに基づいて前記パラメータの好ましい値を決定する
ためのプロセッサと
を含み、
前記更なるビューは、前記パラメータによって適合される前記３Ｄ画像データに基づき更に処理されるビューであるか、前記３Ｄ画像データ内で入手可能な２Ｄビューであるか、又は、前記パラメータ及び前記処理済みビューによって適合される前記３Ｄ画像データに基づき更に処理されるビューである、３Ｄ映像装置。
【請求項２】
前記プロセッサが、前記パラメータによって適合される前記３Ｄ画像データに基づき少なくとも第１のビュー及び第２のビューを求め、前記少なくとも第１のビュー及び第２のビューをインタリーブして前記処理済みビューを求める、又は前記プロセッサが最も左のビュー及び／又は最も右のビューに基づき前記処理済みビューを求め、前記複数のビューは前記最も左のビューから前記最も右のビューにわたる一連のビューを形成する、請求項１に記載の３Ｄ映像装置。
【請求項３】
前記プロセッサが、前記画像値の組合せに対するピーク信号対雑音比の計算に基づき、又は前記画像値の組合せに対する鮮明度の計算に基づき前記品質メトリクを計算する、請求項１に記載の３Ｄ映像装置。
【請求項４】
前記３Ｄ映像をターゲティングするための前記パラメータが、
−  オフセット、
−  利得、
−  スケーリングの種類
のうちの少なくとも１つを含む、請求項１に記載の３Ｄ映像装置。
【請求項５】
前記プロセッサが、ボーダー領域を無視することにより、前記画像値の組合せの中央領域に基づき前記品質メトリクを計算し、又は対応する奥行き値に依存して前記画像値の組合せに重み付けを施すことにより前記品質メトリクを計算する、請求項１に記載の３Ｄ映像装置。
【請求項６】
前記プロセッサが、前記処理済みビュー内の関心領域を決定し、前記関心領域を前記３Ｄディスプレイの好ましい奥行き範囲内で表示するために、前記関心領域内の前記画像値の組合せに重み付けを施すことにより前記品質メトリクを計算する、請求項１に記載の３Ｄ映像装置。
【請求項７】
前記プロセッサが、前記関心領域を決定するための顔検出器を含む、請求項６に記載の３Ｄ映像装置。
【請求項８】
前記プロセッサが、前記３Ｄ映像信号内のショットに依存して或る期間にわたる前記品質メトリクを計算する、請求項１に記載の３Ｄ映像装置。
【請求項９】
前記プロセッサが、
−  前記画像値の組合せの行に沿って処理すること、
−  前記画像値の組合せの解像度を低減すること、
−  前記画像値の組合せにサブサンプリングパターン又はランダムサブサンプリングを適用すること
の少なくとも１つにより、前記画像値の組合せの部分集合に基づいて前記品質メトリクを計算する、請求項１に記載の３Ｄ映像装置。
【請求項１０】
前記受信機が、前記３Ｄ映像信号を受信するために記録担体を読み取るための読取りユニットを含む、請求項１に記載の３Ｄ映像装置。
【請求項１１】
前記装置が、
−  前記３Ｄ映像信号に基づき前記３Ｄ映像データの前記複数のビューを生成し、前記パラメータの前記好ましい値に依存して前記複数のビューを前記３Ｄディスプレイにターゲティングするためのビュープロセッサと、
−  前記ターゲティングされた複数のビューを表示するための前記３Ｄディスプレイと
を含む、請求項１に記載の３Ｄ映像装置。
【請求項１２】
三次元［３Ｄ］映像信号を処理する方法であって、前記３Ｄ映像信号は３Ｄディスプレイ上に表示される少なくとも第１の画像を含み、前記３Ｄディスプレイは、視聴者向けに３Ｄ効果を作り出すために複数のビューを必要とする、方法であり、
−  前記３Ｄ映像信号を受信するステップと、
−  前記複数のビューを前記３Ｄディスプレイにターゲティングするためのパラメータによって適合される前記３Ｄ画像データに基づいて少なくとも１つの処理済みビューを決定するステップと、
−  前記処理済みビュー及び更なるビューの画像値の組合せに基づく、知覚される３Ｄ画像品質を示す品質メトリクを計算するステップと、
−  パラメータの複数の値について前記決定及び計算を行うことに基づいて前記パラメータの好ましい値を決定するステップと
を含み、
前記更なるビューは、前記パラメータによって適合される前記３Ｄ画像データに基づき更に処理されるビューであるか、前記３Ｄ画像データ内で入手可能な２Ｄビューであるか、又は、前記パラメータ及び前記処理済みビューによって適合される前記３Ｄ画像データに基づき更に処理されるビューである、方法。
【請求項１３】
前記更なるビューは、前記パラメータによって適合される前記３Ｄ画像データに基づき更に処理されるビュー、若しくは前記３Ｄ画像データ内で入手可能な２Ｄビューであり、又は、前記パラメータによって適合される前記３Ｄ画像データに基づき更に処理されるビューであって、前記処理済みビュー及び前記更に処理されるビューは、前記画像値の組合せを構成するためにインタリーブされる、請求項１２に記載の方法。
【請求項１４】
三次元［３Ｄ］映像信号を処理するためのコンピュータプログラムであって、前記プログラムは請求項１２に記載の方法のそれぞれのステップをプロセッサに実行させる、コンピュータプログラム。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
デバイスツーデバイス（Ｄ２Ｄ）通信を確立するための、無線送信／受信ユニット（ＷＴＲＵ）における使用のための方法であって、
前記ＷＴＲＵによって、近接検出構成をメモリに記憶するステップであって、前記近接検出構成は、少なくとも１つの発見信号プロパティに関連付けられた少なくとも１つの測定オブジェクトを含み、前記少なくとも１つの発見信号プロパティは、Ｄ２Ｄ通信に対するピアＷＴＲＵの識別を含む、ステップと、
前記ＷＴＲＵによって、前記少なくとも１つの発見信号プロパティ検出するステップと、
前記ＷＴＲＵによって、前記少なくとも１つの発見信号プロパティがＤ２Ｄ通信リンクに関連付けられているという条件で、近接検出報告を発展型ＮｏｄｅＢ（ｅＮＢ）に送信するステップと、
前記ＷＴＲＵによって、Ｄ２Ｄ通信構成を前記ｅＮＢから受信するステップと、
前記ＷＴＲＵによって、前記受信されたＤ２Ｄ通信構成に基づいて、前記Ｄ２Ｄ通信リンクをアクティブ化して、直接パス通信を確立するステップと
を備えたことを特徴とする方法。
【請求項２】
前記ＷＴＲＵによって、ｅＮＢへの測定報告をトリガするステップをさらに備えたことを特徴とする請求項１に記載の方法。
【請求項３】
前記ＷＴＲＵによって、前記近接検出構成をｅＮＢから受信するステップをさらに備えたことを特徴とする請求項１に記載の方法。
【請求項４】
前記Ｄ２Ｄ通信リンクをアクティブ化することは、少なくとも１つのＲａｄｉｏ  Ｒｅｓｏｕｒｃｅ  Ｃｏｎｔｒｏｌ（ＲＲＣ）  Ｃｏｎｎｅｃｔｉｏｎ  ＲｅｃｏｎｆｉｇｕｒａｔｉｏｎメッセージをｅＮＢから受信することにさらに基づいていることを特徴とする請求項１に記載の方法。
【請求項５】
前記少なくとも１つの発見信号プロパティは、時間ドメイン位置、周波数ドメイン位置、またはＷＴＲＵのホワイトリストの組をさらに含むことを特徴とする請求項１に記載の方法。
【請求項６】
前記少なくとも１つの発見信号プロパティを検出するステップは、受信された参照信号上で実行されることを特徴とする請求項１に記載の方法。
【請求項７】
前記ＷＴＲＵによって、前記少なくとも１つの発見信号プロパティが閾値を下回ることを検出するステップと、
前記ＷＴＲＵによって、インフラストラクチャパスへのハンドオーバを開始するステップと
をさらに備えたことを特徴とする請求項１に記載の方法。
【請求項８】
デバイスツーデバイス（Ｄ２Ｄ）通信を確立するように構成された無線送信／受信ユニット（ＷＴＲＵ）であって、
近接検出構成を記憶するように構成されたメモリであって、前記近接検出構成は、少なくとも１つの発見信号プロパティに関連付けられた少なくとも１つの測定オブジェクトを含み、前記少なくとも１つの発見信号プロパティは、Ｄ２Ｄ通信に対するピアＷＴＲＵの識別を含む、メモリと、
前記少なくとも１つの発見信号プロパティ検出するように構成された受信機と、
前記少なくとも１つの発見信号プロパティがＤ２Ｄ通信リンクに関連付けられているという条件で、近接検出報告を発展型ＮｏｄｅＢ（ｅＮＢ）に送信するように構成された送信機と
を備え、
前記受信機は、Ｄ２Ｄ通信構成を前記ｅＮＢから受信するようにさらに構成され、
前記ＷＴＲＵは、
前記受信されたＤ２Ｄ通信構成に基づいて、前記Ｄ２Ｄ通信リンクをアクティブ化して、直接パス通信を確立するように構成されたプロセッサ
をさらに備えたことを特徴とするＷＴＲＵ。
【請求項９】
前記送信機は、ｅＮＢへの測定報告をトリガするようにさらに構成されていることを特徴とする請求項８に記載のＷＴＲＵ。
【請求項１０】
前記受信機は、前記近接検出構成をｅＮＢから受信するようにさらに構成されていることを特徴とする請求項８に記載のＷＴＲＵ。
【請求項１１】
前記アクティブ化されたＤ２Ｄ通信リンクは、少なくとも１つのＲａｄｉｏ  Ｒｅｓｏｕｒｃｅ  Ｃｏｎｔｒｏｌ（ＲＲＣ）  Ｃｏｎｎｅｃｔｉｏｎ  ＲｅｃｏｎｆｉｇｕｒａｔｉｏｎメッセージをｅＮＢから受信することにさらに基づいていることを特徴とする請求項８に記載のＷＴＲＵ。
【請求項１２】
前記受信機は、受信された参照信号上で前記少なくとも１つの発見信号プロパティを検出するようにさらに構成されていることを特徴とする請求項８に記載のＷＴＲＵ。
【請求項１３】
前記受信機は、前記少なくとも１つの発見信号プロパティ閾値を下回ること検出するようにさらに構成され、及び、
前記プロセッサは、インフラストラクチャパスへのハンドオーバを開始するようにさらに構成されている
ことを特徴とする請求項８に記載のＷＴＲＵ。
【請求項１４】
デバイスツーデバイス（Ｄ２Ｄ）通信におけるリンク障害処理のための方法であって、
ＷＴＲＵによって、Ｄ２Ｄリンク障害メッセージを送信するステップであって、前記ＷＴＲＵは、前記Ｄ２Ｄ通信において接続されている、ステップと、
前記ＷＴＲＵによって、前記Ｄ２Ｄ通信におけるすべての通信を中断するステップと、
前記ＷＴＲＵによって、前記Ｄ２Ｄ通信を切断するステップと
を備えたことを特徴とする方法。
【請求項１５】
前記ＷＴＲＵによって、ＲＲＣ  Ｃｏｎｎｅｃｔｉｏｎ  Ｅｓｔａｂｌｉｓｈｍｅｎｔメッセージを送信して、前記Ｄ２Ｄ通信を再確立するステップをさらに備えたことを特徴とする請求項１４に記載の方法。